【事件の表示】
　特願２００５−３７６４９８「固体撮像装置」拒絶査定不服審判事件〔平成１８年　４月１３日出願公開、特開２００６−１０１５５９〕について、次のとおり審決する。
【結　論】
　本件審判の請求は、成り立たない。
【理　由】
【第１】経緯  
 　 
［１］手続 
　本願は、平成１３年９月１７日に出願した特願２００１−２８１６０５号の一部を平成１７年１２月２７日に新たな特許出願としたものであり、手続の概要は以下のとおりである。
　
　拒絶理由の通知　　　　：平成２０年８月２６日（起案日）
　意見書および補正書提出：平成２０年１１月４日
　拒絶査定　　　　　　　：平成２０年１１月２５日（起案日）
　拒絶査定不服審判請求　：平成２０年１２月２６日
　補正書提出　　　　　　：平成２１年１月２６日
　前置報告　　　　　　　：平成２１年６月２５日（起案日）
 　 
［２］査定 
　原審での査定の理由は、概略、以下のとおりである。 
 　 
　〈理由１〉
　本願の請求項１に係る発明は、下記の刊行物に記載された発明であるから、特許法第２９条第１項第３号に該当し、特許を受けることができない。
　
　〈理由２〉
　本願の請求項１に係る発明は、下記の刊行物に記載された発明に基づいて当業者が容易に発明をすることができたものであるから、特許法第２９条第２項の規定により、特許を受けることができない。  
　
 　　　　　　　記  
　刊行物１：特開平１１−３５５６６８号公報
　刊行物２：特開２００１−０２４９４６号公報
　刊行物３：特開２００１−０２４９５２号公報
　
【第２】補正の却下の決定　 
 　 
　平成２１年１月２６日付けの手続補正（以下、本件補正という。）について次のとおり決定する。  
 　  
　《結論》  
 　 
　平成２１年１月２６日付けの補正を却下する。  
 　  
　《理由》  
 　 
［１］特許請求の範囲の記載（補正前と補正後）  
　本件補正は特許請求の範囲についてする補正を含むところ、本件補正前および本件補正後の特許請求の範囲は、下記のとおりである。（補正部分をアンダーラインで示す。） 
　
　　　　　　記（補正前）  
　　【請求項１】
　光電変換部を具備した複数の画素を有し、
　前記画素は、前記光電変換部で生成された電荷を蓄積するフローティングディフュージョン部と前記フローティングディフュージョン部に蓄積された電荷をリセットするリセットトランジスタとを含み、
　前記リセットトランジスタは、オン状態において、前記フローティングディフュージョン部を電源電圧にリセットできるレベルまで、閾値の低いデプレッショントランジスタよりなることを特徴とする固体撮像装置。
　
　　　　　　記（補正後）  
　　【請求項１】
　光電変換部を具備した複数の画素を有し、
　前記画素は、前記光電変換部で生成された電荷を蓄積するフローティングディフュージョン部と
、前記フローティングディフュージョン部から光電荷に対応する信号を取り出す増幅トランジスタと、
、前記増幅トランジスタと接続され、増幅トランジスタの出力を撮像部外の電流源に接続された信号線に選択的に接続する選択トランジスタと
　前記リセットトランジスタは、オン状態において、前記フローティングディフュージョン部を電源電圧にリセットできるレベルまで、閾値の低いデプレッショントランジスタより
なり、
　かつ、前記リセットトランジスタによるリセット動作の終了後に、前記選択トランジスタをオンさせる
　ことを特徴とする固体撮像装置。
 　 
　
　〈本件補正の適合性〉（第１７条の２第４項第１号〜第４号） 
　
［２］補正の範囲
　本件補正は、願書に最初に添付した明細書又は図面に記載した事項の範囲内においてする補正である。
　
［３］補正の目的
　
　ア　特許請求の範囲についてする補正は、補正前請求項１についてする補正であり、補正前請求項１には記載されていなかった、
　「
前記フローティングディフュージョン部から光電荷に対応する信号を取り出す増幅トランジスタと
　「
前記増幅トランジスタと接続され、増幅トランジスタの出力を撮像部外の電流源に接続された信号線に選択的に接続する選択トランジスタ
　「
かつ、前記リセットトランジスタによるリセット動作の終了後に、前記選択トランジスタをオンさせる
　を、新たに追加記載する補正であって、特定事項を追加するものであるから補正前請求項１を減縮するものではある。
　
　イ　しかし、以下の理由で、上記の補正前請求項１についてする補正は、補正前請求項１に記載した
発明を特定するために必要な事項
限定
　
　〈理由〉
　上記Ｘ，Ｙ，Ｚは、フローティングディフュージョン部から光電荷に対応する信号を取り出すための技術事項としてその回路構成と回路動作を特定する事項であるところ、
　補正前請求項１は、光電変換部を具備した複数の画素を有する固体撮像装置において、画素内のフローティングディフュージョン部に蓄積された電荷を
リセットするための技術事項
信号を取り出す技術事項
　したがって、上記Ｘ，Ｙ，Ｚは、補正前請求項１に記載した発明を特定するために必要な事項を限定したものとはいえない。
　
　仮に、「増幅トランジスタ」、「選択トランジスタ」の追加が、補正前請求項１に記載した「画素」を特定するものと言えたとしても、
　少なくとも「撮像部外」とは「画素外」を意味するものと言え（このことは、本願明細書の段落【0016】「撮像部２００は、上述した図１に示す構成の画素部を垂直方向と水平方向の２次元行列状に多数設けたものである。」
、図３から明らかである。）、
　「画素外」に「電流源」が存在すること｛Ｙ｝、および「電流源」の存在を前提とする上記Ｚ記載の回路の動作についてまで、これを含む概念について、補正前請求項１が発明を特定するために必要な事項として記載していた、とすることはできないから、
　上記の補正前請求項１についてする補正が、補正前請求項１に記載した
発明を特定するために必要な事項
限定
　
　ウ　そして、上記Ｘ，Ｙ，Ｚが、請求項の削除、誤記の訂正、明りょうでない記載の釈明を目的とするものということもできないことは明らかである。
　
　エ　まとめ
　本件補正は特許請求の範囲についてする補正を含むところ、その補正は、平成１８年改正前特許法（平成１８年法律第５５号改正附則第３条第１項によりなお従前の例によるとされる同法による改正前の特許法）第１７条の２第４項各号に掲げる事項を目的とするもののいずれにも該当しない。
　したがって、本件補正は、平成１８年改正前特許法第１７条の２第４項の規定に違反しているものであるから、特許法第１５９条第１項において読み替えて準用する同法第５３条第１項の規定により却下すべきものである。  
　
［４］独立特許要件についての予備的検討
　
　本件補正は、前記した理由により却下すべきであるが、仮に、本件補正が平成１８年改正前特許法第１７条の２第４項第２号に規定する特許請求の範囲の減縮を目的するものに該当し、特許法第１７条の２第４項の規定に適合するとしたとしても、補正後の請求項１に記載された発明は、以下のとおり、特許法第２９条第２項の規定により、特許出願の際独立して特許を受けることができないものである。
　したがって、本件補正は、平成１８年改正前特許法第１７条の２第５項において準用する同法第１２６号第５項の規定に違反するから、同法第１５９条第１項において読み替えて準用する同法第５３条第１項の規定により却下すべきものである。
　
　補正後請求項１に記載された発明（以下、「補正後発明」という。）が、特許出願の際独立して特許を受けることができないとする理由は、以下のとおりである。
　
　《特許出願の際独立して特許を受けることができないとする理由》
　
　後記【第４】での検討を踏まえた上検討する。
　
　（１）補正後発明（分説）
　補正前請求項１について追加される特定事項は、上記ＸＹＺであり、前記のとおりである補正後発明は、次の構成要件に分説できる。
　
　　　　〈補正後発明（分説）〉
Ａ　　光電変換部を具備した複数の画素を有し、
Ｂ１　前記画素は、前記光電変換部で生成された電荷を蓄積するフローティングディフュージョン部と、
Ｘ　
前記フローティングディフュージョン部から光電荷に対応する信号を取り出す増幅トランジスタと
Ｂ２　前記フローティングディフュージョン部に蓄積された電荷をリセットするリセットトランジスタと
、
Ｙ　
前記増幅トランジスタと接続され、増幅トランジスタの出力を撮像部外の電流源に接続された信号線に選択的に接続する選択トランジスタと
Ｃ　前記リセットトランジスタは、オン状態において、前記フローティングディフュージョン部を電源電圧にリセットできるレベルまで、閾値の低いデプレッショントランジスタより
なり、
Ｚ　
かつ、前記リセットトランジスタによるリセット動作の終了後に、前記選択トランジスタをオンさせる
　　ことを特徴とする
Ｄ　固体撮像装置。
　
　（２）引用発明２
　原査定の拒絶の理由に引用された刊行物２（特開２００１−０２４９４６号公報）には、後記【第４】［１］のとおりの記載があり、
　刊行物２には、【第４】［２］〈引用発明２〉で後記したとおりの発明を認めることができ、これを、「刊行物に記載された発明」（同じく、「引用発明２」という）とする。
　
　（３）対比、一致点・相違点
　補正後発明と引用発明２とを対比する。
　
　ア　補正前請求項１（後記「本願発明」）と引用発明２との対比・判断については、後記【第４】［３］のとおりであるところ、これを踏まえれば、
　引用発明２は、補正後発明の上記構成要件Ａ，Ｂ１，Ｂ２，Ｃ，Ｄについて一致する。
　
　以下、上記構成要件Ａ，Ｂ１，Ｂ２，Ｃ，Ｄ以外の構成要件である、上記Ｘ，Ｙ，Ｚについて検討する。
　
　イ　構成要件Ｘについて
　　　構成要件Ｘ：（画素は、）「
前記フローティングディフュージョン部から光電荷に対応する信号を取り出す増幅トランジスタと
　
　引用発明２の「単位画素１１」は、「増幅トランジスタ１５」を含んでおり、「増幅トランジスタ１５は、ゲートが浮遊拡散領域ＦＤに接続され、ドレインが電源ＶＤＤに接続されて」おり（段落【0012】）、
　「読み出しパルスφＰＲＤが消滅すると、読み出しトランジスタ１３がオフ状態となる。そして、浮遊拡散領域ＦＤに読み出された
信号電荷は、
増幅トランジスタ１５で増幅されて信号電流となり
垂直信号線２５に出力される。
　引用発明２の「増幅トランジスタ１５」は、上記構成要件Ｘの「前記フローティングディフュージョン部から光電荷に対応する信号を取り出す増幅トランジスタ」と言い得るものである。
　したがって、引用発明２は、上記構成要件Ｘにおいて補正後発明と一致する。
　
　ウ　構成要件Ｙ、Ｚについて
　　　構成要件Ｙ：（画素は、）「
前記増幅トランジスタと接続され、増幅トランジスタの出力を撮像部外の電流源に接続された信号線に選択的に接続する選択トランジスタと
　　　構成要件Ｚ：「
かつ、前記リセットトランジスタによるリセット動作の終了後に、前記選択トランジスタをオンさせる
　
　ウ-１　後掲(K7)は、図２および図３を参照して、動作を説明しており、これによれば、図１のｍ列ｎ行目の画素は、以下のS1〜S6の様に動作する。
　
　〈ｍ列ｎ行目の画素の動作〉
S1：「垂直走査回路２８の垂直走査により、走査回路２８から垂直走査パルスφＶｎが出力され、ｎ行目の垂直選択トランジスタ２６ｎのゲートに印加され、ｎ行目が読み出し行として選択され」（段落【0022】）、
　これにより、以下のS1〜S6の間、垂直選択トランジスタ２６ｎは導通し続け、
水平信号線２２と垂直信号線２５は導通状態となっている
　
S2：「この状態において、水平走査回路２７の水平走査により、当該走査回路２７から水平走査パルスφＨｍ−１が出力され、ｍ−１列目の水平選択線２４ｍ−１に印加される。すると、ｍ列目の画素のリセットトランジスタ１６がオン状態となる。これにより、浮遊拡散領域ＦＤがリセットトランジスタ１６を通して電源ＶＤＤにリセットされる。このとき、ｍ−１列の水平走査パルスφＨｍ−１は、隣接するｍ列のリセットパルスとして機能する。」（段落【0023】、図２）
　
S3：「続いて、水平走査回路２７から水平走査パルスφＨｍが出力され、ｍ列目の水平選択線２４ｍに印加されると、ｍ列目の画素の
出力選択トランジスタ１７がオン状態となる。これにより、垂直選択されたｎ行目、水平選択されたｍ列目のリセットされた画素（ｍ，ｎ）のリセットレベルに応じた電流が、水平信号線２２ｎおよび垂直選択トランジスタ２６ｎを通して垂直信号線２５に出力される
　
S4：「水平走査パルスφＨｍの発生期間において、読み出しパルスφＰＲＤが出力されると、読み出し線２３ｎにパルスが立つ。このとき、画素（ｍ，ｎ）の読み出し選択トランジスタ１４は、水平走査パルスφＨｍがゲートに印加されていることからオン状態にあ」るから（段落【0025】）、
　「読み出し線２３ｎに印加された読み出しパルスφＰＲＤは、読み出し選択トランジスタ１４のドレイン‐ソースを介して読み出しトランジスタ１３のゲートに印加される。これにより、読み出しトランジスタ１３がオン状態となり、フォトダイオード１２で光電変換によって発生し、蓄積された信号電荷が読み出しトランジスタ１３を通して浮遊拡散領域ＦＤに読み出される。」（段落【0026】）
　
S5：「
読み出しパルスφＰＲＤが消滅すると、読み出しトランジスタ１３がオフ状態となる。そして、浮遊拡散領域ＦＤに読み出された信号電荷は、その電荷量に応じて増幅トランジスタ１５で増幅されて信号電流となり、出力選択トランジスタ１７、水平信号線２２ｎおよび垂直選択トランジスタ２６ｎを通して垂直信号線２５に出力される
　
S6：「この画素（ｍ，ｎ）の選択時には、その水平走査パルスφＨｍによって次の列の画素（ｍ＋１，ｎ）のリセットが行われる。そして、水平走査パルスφＨｍが消滅し、水平走査パルスφＨｍ＋１が水平走査回路２７から出力されることで、次の列の画素（ｍ＋１，ｎ）が選択状態となる。」（段落【0028】）
　「上述した一連の動作の繰り返しにより、ｎ行目の１ライン分の単位画素１１のリセットレベルと信号レベルが同一の経路（水平信号線２２ｎや垂直選択トランジスタ２６ｎなど）を通して点順次に垂直信号線２５上に読み出される。これらはさらに、Ｉ‐Ｖ変換回路３４で電流から電圧に変換された後ＣＤＳ回路３５に送られ、相関二重サンプリングによるノイズキャンセルが行われる。」（段落【0029】）
　
　〈検討〉
　
　ウ-２　構成要件Ｙのうち、（画素は、）「
前記増幅トランジスタと接続され
選択トランジスタと
　引用発明２の「単位画素１１」は、「出力選択トランジスタ１７」を含んでおり、
　「出力選択トランジスタ１７は、
ドレインが増幅トランジスタ１５のソースに
　（当審決注：ｍ列ｎ行の画素では、水平信号線２２ｎとなる。）
にそれぞれ
接続され
　したがって、引用発明２は、構成要件Ｙのうち、（画素は、）「前記増幅トランジスタと接続され」る「選択トランジスタとを含み」とする点を満たしている。
　
　ウ-３　構成要件Ｚとする点
　S1で、
水平信号線２２と垂直信号線２５は導通状態となっている
　S2で、φＨｍ−１の出力によって、リセットトランジスタ１６がオン状態となり、ｍ列ｎ行画素の浮遊拡散領域ＦＤがリセットトランジスタ１６を通して電源ＶＤＤにリセットされる。
　続いて、φＨｍ−１が停止し、これとほぼ同時に（図２）、S3で、φＨｍが出力されることによって、ｍ列の「出力選択トランジスタ１７」がオンとなる。（これによりリセットレベルに応じた電流を、垂直信号線２５に出力させる。）
　これによれば、φＨｍ−１が出力しているときにリセットトランジスタ１６により浮遊拡散領域ＦＤが電源ＶＤＤにリセットされているから、続く、φＨｍ−１の出力停止とφＨｍ−１の出力開始時（これにより出力選択トランジスタ１７がオンする）には、リセット動作は終了しているとうことができる。
　したがって、引用発明２は、構成要件Ｚ「
かつ、前記リセットトランジスタによるリセット動作の終了後に、前記選択トランジスタをオンさせる
を満たしている。
　（この点については、下記《予備的検討》も参照されたい。）
　
　ウ-４　構成要件Ｙのうち、「
選択トランジスタ
増幅トランジスタの出力を撮像部外の電流源に接続された信号線に選択的に接続する
　S1で、垂直選択トランジスタ２６ｎが導通して
水平信号線２２と垂直信号線２５は導通状態となっている
　S3で、φＨｍが出力されて「ｍ列目の画素の
出力選択トランジスタ１７がオン状態
　これにより、リセットされた画素（ｍ，ｎ）のリセットレベルに応じた電流が、増幅トランジスタ１５で増幅され、水平信号線２２ｎ−垂直信号線２５に出力される。
　また、同じくφＨｍが出力されている間に、S4後のS5で、読み出しパルスφＰＲＤが消滅すると、読み出しトランジスタ１３がオフ状態となり、浮遊拡散領域ＦＤに読み出された信号電荷は、その電荷量に応じて増幅トランジスタ１５で増幅されて信号電流となり、出力選択トランジスタ１７、水平信号線２２ｎ−垂直信号線２５−Ｉに出力される。
　すなわち、「
出力選択トランジスタ１７
　水平信号線２２と垂直信号線２５は導通状態となっている間においては、
　　φＨｍが出力されている間だけ、「
増幅トランジスタ１５」の出力
信号線２５に接続し
　　φＨｍが出力されていない間は、「
増幅トランジスタ１５」の出力
信号線２５に接続しない。
選択トランジスタ
増幅トランジスタの出力を信号線に選択的に接続する
　
　もっとも、補正後発明では、増幅トランジスタの出力を選択的に接続する信号線が、「
撮像部外の電流源に接続された
　引用発明２では、信号線（垂直信号線２５）が、「
撮像部外の電流源に接続された
　
  ウ-５　まとめ（ウ）
　以上によれば、補正後発明と引用発明２は、
  Ｙ’：（画素は、）「前記増幅トランジスタと接続され、増幅トランジスタの出力を
信号線
　および、
　Ｚ：「かつ、前記リセットトランジスタによるリセット動作の終了後に、前記選択トランジスタをオンさせる、」とする点で一致し、
　上記
信号線
　補正後発明では、「撮像部外の電流源に接続された」信号線としているのに対して、
　引用発明２では、「撮像部外の電流源に接続された」信号線とはしておらず、この点相違する。
　
　〈「撮像部外の」について〉
　補正後発明でいう「
撮像部
画素部
　引用発明２の、単位画素１０１が、補正後発明でいう「
画素部
撮像部
　したがって、補正後発明の「撮像部外」とは、画素を配列した部分（引用発明２の「画素部」）の外を意味するものである。
　
　エ　一致点・相違点
　以上の対比結果によれば、補正後発明と引用発明２との一致点および相違点は、下記のとおりである。 
 　 
　　　　　　　　記（一致点）  
Ａ　　光電変換部を具備した複数の画素を有し、
Ｂ１　前記画素は、前記光電変換部で生成された電荷を蓄積するフローティングディフュージョン部と、
Ｘ　前記フローティングディフュージョン部から光電荷に対応する信号を取り出す増幅トランジスタと、
Ｂ２　前記フローティングディフュージョン部に蓄積された電荷をリセットするリセットトランジスタと、
Ｙ’前記増幅トランジスタと接続され、増幅トランジスタの出力を
信号線
Ｃ　前記リセットトランジスタは、オン状態において、前記フローティングディフュージョン部を電源電圧にリセットできるレベルまで、閾値の低いデプレッショントランジスタよりなり、
Ｚ　かつ、前記リセットトランジスタによるリセット動作の終了後に、前記選択トランジスタをオンさせる、
　　ことを特徴とする
Ｄ　固体撮像装置。
　
　　　　　　　　記（相違点）
　
信号線
　補正後発明では、「撮像部外の電流源に接続された」信号線としているのに対して、
　引用発明２では、信号線（垂直信号線２５）が、「撮像部外の電流源に接続された」信号線とはしていない点。
　
　（４）相違点の判断
　
　《常套・周知技術》
　多数の画素を配列した部分（補正後発明でいう「撮像部」）を有する固体撮像装置において、信号出力が選択的に接続される信号線に「撮像部外の電流源」を接続して信号出力を取り出すことは、常套であり、ごく普通に用いられている周知のことにすぎない。
  
　これには、例えば、下記の、
　　周知例１（段落【0002】〜【0011】、図２２、図２３等）、
　　周知例２（段落【0035】〜【0048】、図１、図２等）、
　　周知例３（段落【0019】〜【0023】、図１、図２等）、
　　周知例４（段落【0004】〜【0007】、【0015】〜【0017】、図８、図９
　　　　　　　、図１等）、
　　周知例５（段落【0032】〜【0038】、【0044】、図１等）、
　　等が参照される。
　　
　　　　　　　　記（周知例１〜５）
　周知例１：特開２００１−２３０４００号公報　
　周知例２：特開２００１−１７７７６５号公報
　周知例３：特開２００１−２４５２１６号公報　
　周知例４：特開平１１−７５１１４号公報
　周知例５：特開平１０−１２６６９６号公報
　
　《容易性判断》
　引用発明２には、記載されたものとしての「電流源」の存在はないが、上記常套・周知技術を熟知している当業者であれば、引用発明２に上記周知例１〜５等に見られる上記常套・周知技術を適用しようとすることに容易に想到するものであるといえ、
　引用発明２においても、（垂直）信号線から出力を取り出すのに、（出力）（垂直）信号線に撮像部外（引用発明２の「画素部２１」）の電流源を接続した構成とすることは、当業者が容易になし得ることである。
　ちなみに、図１（刊行物２）等によれば、引用発明２の垂直信号線（２５）に電流源等の回路素子を接続すれば、その回路素子は「画素部２１」外、すなわち、補正後発明でいう「撮像部外」に存在することになることは明らかである。
　
　《予備的検討》
　なお、引用発明２では、図２によれば、φＨｍ−１の出力の停止とφＨｍの出力開始とはほぼ同時であることから、
　仮に、引用発明２は、「
リセット動作の終了後に
リセット動作の終了後に
　といえたとしても、
  「リセットトランジスタによる
リセット動作の終了後に
　したがって、補正後発明が、当業者が容易に発明をすることができたものであるといえることに変わりはない。
  　
　（５）まとめ（独立特許要件）
　以上、補正後発明は、刊行物２に記載された発明、および常套・周知技術に基づいて、当業者が容易に発明をすることができたものであるから、特許法第２９条第２項の規定により特許出願の際独立して特許を受けることができない。
　
【第３】本願発明  
　
 　平成２１年１月２６日付けの手続補正は上記のとおり却下する。 
 　本願の請求項１に係る発明（以下、本願発明ともいう）は、本願明細書及び図面（平成２０年１１月４日付けの手続補正書により補正された明細書及び図面）の記載からみて、その特許請求の範囲の請求項１に記載した事項により特定される下記（上記補正前の請求項１に同じ、再掲）のとおりである。 
　　
　　　　　　記（本願発明） 
　光電変換部を具備した複数の画素を有し、
　前記画素は、前記光電変換部で生成された電荷を蓄積するフローティングディフュージョン部と前記フローティングディフュージョン部に蓄積された電荷をリセットするリセットトランジスタとを含み、
　前記リセットトランジスタは、オン状態において、前記フローティングディフュージョン部を電源電圧にリセットできるレベルまで、閾値の低いデプレッショントランジスタよりなることを特徴とする固体撮像装置。
　
【第４】当審の判断  
 　 
［１］引用刊行物の記載  
　刊行物２（特開２００１−０２４９４６号公報）
 　原査定の拒絶の理由に引用された刊行物２には、以下の記載がある。
　
　　〈技術分野〉
　(K1)「【０００１】
【発明の属する技術分野】本発明は、固体撮像素子およびその駆動方法に関し、特に単位画素ごとに増幅機能を持つＸ‐Ｙアドレス型の固体撮像素子およびその駆動方法に関する。」
　
　〈目的・課題〉
　(K2)「【０００２】
【従来の技術】従来、この種の固体撮像素子として、図１１に示すように、単位画素１０１が行列状に２次元配置され、垂直走査回路１０２によって垂直選択線１０３を介して行選択がなされる構成のものにおいて、垂直信号線１０４の各々にカラムアンプ１０５が接続され、単位画素１０１の各々の画素信号がカラムアンプ１０５に行単位で蓄えられるとともに、水平走査回路１０６によって列選択がなされ、水平信号線１０７およびセンスアンプ１０８を介して出力される構成のものが知られている（例えば、米国特許第５，３４５，２６６号参照）。
【０００３】
【発明が解決しようとする課題】上記構成の従来の固体撮像素子では、１Ｈ（１水平走査期間）分の信号電荷をカラムアンプ１０５に一度に送り、このカラムアンプ１０５内のキャパシタに一度蓄えた後に読み出す構成となっているため、カラムアンプ１０５のリセットレベルのバラツキを含んだ信号量がキャパシタ部に取り込まれる。その結果、各カラムアンプ１０５に使われているトランジスタの特性のバラツキが信号に重畳され、画面上に縦筋状の固定パターンノイズ（ＦＰＮ;Fixed Patern Noise)として現れることになる。
【０００４】この縦筋状の固定パターンノイズを抑圧するためには、デバイスの外部にフレームメモリを用いたノイズ除去回路を設け、暗時の出力信号（ノイズ成分）および明時の出力信号（映像成分）の一方を各画素ごとにフレームメモリにあらかじめ記憶しておき、もう一方の画素の信号との間で引き算を行うことにより、トランジスタの特性のバラツキに起因するノイズ成分を除去する必要があった。したがって、固体撮像素子を撮像デバイスとして用いるカメラシステムにあっては、フレームメモリを用いたノイズ除去回路を外付けにする必要があり、その分だけ規模の大きなものとなってしまう。
【０００５】本発明は、上記課題に鑑みてなされたものであり、その目的とするところは、固定パターンノイズをデバイス内部で抑圧可能な固体撮像素子およびそのノイズを除去するための駆動方法を提供することにある。」
　
　〈課題を解決するための手段〉
　(K3)「【０００６】
【課題を解決するための手段】本発明では、単位画素が、光電変換素子に対して読み出しトランジスタ、読み出し選択トランジスタ、増幅トランジスタ、リセットトランジスタおよび出力選択トランジスタの５つのトランジスタを有する画素構成となっている。この単位画素が行列状に配置されており、これら単位画素に対して行単位で複数行分の水平信号線が配線され、またこれら水平信号線に対して単一の垂直信号線が共通に配線されている。そして、画素部の各画素を行単位で選択するとともに、複数行分の水平信号線に各画素から出力された画素信号を順次垂直信号線に出力する垂直駆動手段と、単位画素の読み出し選択トランジスタおよび出力選択トランジスタに対して水平選択パルスを与えるとともに、リセットトランジスタに対してリセットパルスを与える水平駆動手段とが設けられている。」
　
　〈動作〉
　(K4)「【０００７】上記の構成において、垂直駆動手段によってある行が選択されたら、先ず、水平駆動手段からリセットトランジスタに対してリセットパルスを与えることによって蓄積部をリセットし、そのリセットレベルを増幅トランジスタを通して水平信号線に出力する。続いて、読み出し選択トランジスタに水平走査パルスを与えることで、光電変換素子で光電変換されかつ蓄積された信号電荷を読み出しトランジスタを通して蓄積部に読み出し、この信号電荷を増幅トランジスタを通して信号レベルとして水平信号線に出力する。これにより、リセットレベルと信号レベルが水平信号線を通して垂直信号線へ点順次で出力される。」
　
　〈実施の形態（回路構成）〉
　(K5)「【０００８】
【発明の実施の形態】以下、本発明の実施の形態について図面を参照して詳細に説明する。図１は、本発明の第１実施形態に係る固体撮像素子を示す概略構成図である。本実施形態に係る固体撮像素子は、電子シャッター機能を備えたＸ‐Ｙアドレス型撮像素子であり、このＸ‐Ｙアドレス型撮像素子の場合の電子シャッターは、ＣＣＤ(Charge Coupled Device) 型撮像素子の場合と違い、１行（１ライン）ごとにシャッターを切る動作となる。
【０００９】図１において、破線で囲まれた領域が単位画素１１を表している。この単位画素１１は、光電変換素子であるフォトダイオード（ＰＤ）１２に対して、読み出しトランジスタ１３、読み出し選択トランジスタ１４、増幅トランジスタ１５、リセットトランジスタ１６および出力選択トランジスタ１７の５つのＮｃｈＭＯＳトランジスタを有する構成となっている。そして、この単位画素１１が行列状に配置されて画素部２１を構成している。
【００１０】なお、ここでは、図面の簡略化のために、画素部２１が２列（ｍ−１列目，ｍ列目）２行（ｎ行目，ｎ＋１行目）の画素構成の場合を例にとって示している。この画素部２１には、水平信号線２２ｎ＋１，２２ｎおよび読み出し線２３ｎ＋１，２３ｎが行単位で配線されている。さらに、水平選択線２４ｍ−１，２４ｍが列単位で配線されている。
【００１１】ｍ列ｎ＋１行目の単位画素１１において、フォトダイオード１２は、光電変換と電荷蓄積の各機能を兼ね備えている。すなわち、入射光をその光量に応じた電荷量の信号電荷に光電変換し、かつその信号電荷を蓄積する機能を持っている。このフォトダイオード１２は、埋め込みダイオードのセンサ構造、例えばｎｐダイオードの基板表面側ｐ+ 層からなる正孔蓄積層を付加したＨＡＤ(Hole Accumulated Diode)センサ構造となっている。
【００１２】フォトダイオード１２のカソードには、読み出しトランジスタ１３のソースが接続されている。読み出しトランジスタ１３は、ドレインが蓄積部である浮遊拡散領域ＦＤに接続され、ゲートが読み出し選択トランジスタ１４のソース／ドレインに接続されている。読み出し選択トランジスタ１４は、ドレイン／ソースが読み出し線２３ｎ＋１に接続され、ゲートが水平選択線２４ｍに接続されている。増幅トランジスタ１５は、ゲートが浮遊拡散領域ＦＤに接続され、ドレインが電源ＶＤＤに接続されている。
【００１３】リセットトランジスタ１６は、ソースが浮遊拡散領域ＦＤに、ドレインが電源ＶＤＤにそれぞれ接続され、ゲートが隣接するｍ−１列目の水平信号線２４ｍ−１に接続されている。このリセットトランジスタ１６は、浮遊拡散領域ＦＤを電源ＶＤＤにリセットするためにデプレッション型である。出力選択トランジスタ１７は、ドレインが増幅トランジスタ１５のソースに、ソースが水平信号線２２ｎ＋１にそれぞれ接続され、ゲートが水平選択線２４ｍに接続されている。」
　
　(K6)「【００１４】また、複数行分、本例では２行分の水平信号線２２ｎ，２２ｎ＋１に対して、これらと直交する方向に単一の垂直信号線２５が配線されている。そして、水平信号線２２ｎ，２２ｎ＋１の各々と垂直信号線２５との間には、垂直選択トランジスタ２６ｎ，２６ｎ＋１がそれぞれ接続されている。これら垂直選択トランジスタ２６ｎ，２６ｎ＋１も、ＮｃｈＭＯＳトランジスタからなっている。
【００１５】画素部２１の周辺部には、列選択のための水平走査回路２７が水平駆動系として、行選択のための垂直走査回路２８および１Ｈ（Ｈは水平走査期間）の整数倍の蓄積時間（露光時間）を制御するための電子シャッター走査回路２９が垂直駆動系としてそれぞれ設けられている。これらの走査回路２７，２８，２９は、例えばシフトレジスタによって構成され、タイミングジェネレータ（ＴＧ）３０から与えられる駆動パルスに応答してシフト動作（走査）を開始するようになっている。
【００１６】水平走査回路２７からは、水平走査（選択）パルスφＨｍ−１，φＨｍが順次出力される。これら水平走査パルスφＨｍ−１，φＨｍは、水平選択線２４ｍ−１，２４ｍを通して列単位で単位画素１１の読み出し選択トランジスタ１４、リセットトランジスタ１６および出力選択トランジスタ１７の各ゲートに与えられる。
【００１７】垂直走査回路２８からは垂直走査パルスφＶｎ，φＶｎ＋１が、電子シャッター走査回路２９からはシャッターパルスφＳｎ，φＳｎ＋１がそれぞれ順次出力される。垂直走査パルスφＶｎ，φＶｎ＋１は、行ごとにＯＲゲート３１ｎ，３１ｎ＋１の一方の入力になるととともに、垂直選択線３２ｎ，３２ｎ＋１を通して垂直選択トランジスタ２６ｎ，２６ｎ＋１のゲートに与えられる。
【００１８】シャッターパルスφＳｎ，φＳｎ＋１は、行ごとにＯＲゲート３１ｎ，３１ｎ＋１の他方の入力となる。ＯＲゲート３１ｎ，３１ｎ＋１の各出力は、ＡＮＤゲート３３ｎ，３３ｎ＋１の各一方の入力となる。ＡＮＤゲート３３ｎ，３３ｎ＋１の各他方の入力としては、タイミングジェネレータ３０で発生される読み出しパルスφＰＲＤが与えられる。ＡＮＤゲート３３ｎ，３３ｎ＋１の各出力は、読み出し線２３ｎ，２３ｎ＋１を通して各画素における読み出し選択トランジスタ１４のドレインに与えられる。
【００１９】垂直信号線２５の出力端側には、Ｉ（電流）‐Ｖ（電圧）変換回路３４と差分回路としての例えば相関二重サンプリング回路（以下、ＣＤＳ(Correlated Double Sampling)回路と称す）３５とが設けられている。Ｉ‐Ｖ変換回路３４は、垂直信号線２５を通して信号電流として供給される画素信号を信号電圧に変換してＣＤＳ回路３５に供給する。
【００２０】ＣＤＳ回路３５は、タイミングジェネレータ３０から与えられるサンプリングパルスに基づいて、画素リセット直後のノイズレベルと信号レベルとの差分をとる処理を行う。また、ＣＤＳ回路３５の後段には、必要に応じてＡＧＣ(Auto Gain Control) 回路やＡＤＣ(Analog Didital Converter)回路等を設けることも可能である。」
　
　〈実施の形態（動作）〉
　(K7)「【００２１】次に、上記構成の第１実施形態に係る固体撮像素子の動作について、図２および図３のタイミングチャートを用いて説明する。なお、図２は電子シャッター非動作時のタイミングチャート、図３は電子シャッター動作時のタイミングチャートである。
【００２２】先ず、電子シャッター非動作時のｍ列ｎ行目の画素に着目とすると、垂直走査回路２８の垂直走査により、当該走査回路２８から垂直走査パルスφＶｎが出力され、ｎ行目の垂直選択トランジスタ２６ｎのゲートに印加され、ｎ行目が読み出し行として選択される。
【００２３】この状態において、水平走査回路２７の水平走査により、当該走査回路２７から水平走査パルスφＨｍ−１が出力され、ｍ−１列目の水平選択線２４ｍ−１に印加される。すると、ｍ列目の画素のリセットトランジスタ１６がオン状態となる。これにより、浮遊拡散領域ＦＤがリセットトランジスタ１６を通して電源ＶＤＤにリセットされる。このとき、ｍ−１列の水平走査パルスφＨｍ−１は、隣接するｍ列のリセットパルスとして機能する。
【００２４】続いて、水平走査回路２７から水平走査パルスφＨｍが出力され、ｍ列目の水平選択線２４ｍに印加されると、ｍ列目の画素の出力選択トランジスタ１７がオン状態となる。これにより、垂直選択されたｎ行目、水平選択されたｍ列目のリセットされた画素（ｍ，ｎ）のリセットレベルに応じた電流が、水平信号線２２ｎおよび垂直選択トランジスタ２６ｎを通して垂直信号線２５に出力される。
【００２５】また、水平走査パルスφＨｍの発生期間において、読み出しパルスφＰＲＤが出力されると、この読み出しパルスφＰＲＤはＡＮＤゲート３３ｎで垂直走査パルスφＶｎと論理積がとられ、その結果ｎ行目の読み出し線２３ｎにパルスが立つ。このとき、画素（ｍ，ｎ）の読み出し選択トランジスタ１４は、水平走査パルスφＨｍがゲートに印加されていることからオン状態にある。
【００２６】したがって、読み出し線２３ｎに印加された読み出しパルスφＰＲＤは、読み出し選択トランジスタ１４のドレイン‐ソースを介して読み出しトランジスタ１３のゲートに印加される。これにより、読み出しトランジスタ１３がオン状態となり、フォトダイオード１２で光電変換によって発生し、蓄積された信号電荷が読み出しトランジスタ１３を通して浮遊拡散領域ＦＤに読み出される。
【００２７】読み出しパルスφＰＲＤが消滅すると、読み出しトランジスタ１３がオフ状態となる。そして、浮遊拡散領域ＦＤに読み出された信号電荷は、その電荷量に応じて増幅トランジスタ１５で増幅されて信号電流となり、出力選択トランジスタ１７、水平信号線２２ｎおよび垂直選択トランジスタ２６ｎを通して垂直信号線２５に出力される。
【００２８】この画素（ｍ，ｎ）の選択時には、その水平走査パルスφＨｍによって次の列の画素（ｍ＋１，ｎ）のリセットが行われる。そして、水平走査パルスφＨｍが消滅し、水平走査パルスφＨｍ＋１が水平走査回路２７から出力されることで、次の列の画素（ｍ＋１，ｎ）が選択状態となる。
【００２９】上述した一連の動作の繰り返しにより、ｎ行目の１ライン分の単位画素１１のリセットレベルと信号レベルが同一の経路（水平信号線２２ｎや垂直選択トランジスタ２６ｎなど）を通して点順次に垂直信号線２５上に読み出される。これらはさらに、Ｉ‐Ｖ変換回路３４で電流から電圧に変換された後ＣＤＳ回路３５に送られ、相関二重サンプリングによるノイズキャンセルが行われる。」
　
［２］刊行物記載発明（引用発明２）
　刊行物２に記載されている発明を「刊行物に記載された発明」（以下、「引用発明２」という）とする。
　
　上記刊行物２には、名称を「固体撮像素子およびその駆動方法」とし、前掲(K1)を技術分野、(K2)を目的・課題とし、(K3)を課題を解決するための手段、(K4)をその動作、(K5)(K6)を実施の形態（回路構成）、(K7)を実施の形態（動作）とするものが、図面とともに記載されている。
　前掲(K3)〜(K5)，図１には、破線で囲まれた単位画素１１が行列状に配置されてなる画素部２１を備えるＸ‐Ｙアドレス型固体撮像素子が認められ、
　その回路構成は、概要を前掲(K3)のとおりとし、詳細を前掲(K5)(K6)のとおりとするものであり、
　その動作は、概要を前掲(K4)のとおりとし、詳細を(K7)のとおりとするものである。
　
　そこで、引用発明２として、以下の発明を認めることができる。
　
　〈引用発明２〉
　「光電変換素子であるフォトダイオード（ＰＤ）１２」（【0009】）「に対して読み出しトランジスタ、読み出し選択トランジスタ、増幅トランジスタ、リセットトランジスタおよび出力選択トランジスタ」（【0006】）を含む単位画素１１が行列状に配置されてなる画素部２１を備えるＸ‐Ｙアドレス型固体撮像素子であって、
　その回路構成は、概要が前掲(K3)段落【0006】のとおりで、詳細が前掲(K5)(K6)段落【0008】〜【0020】（特に【0012】【0013】）記載のとおりとするものであり、
　その動作は、概要が前掲(K4)段落【0007】のとおりで、詳細が前掲(K7)段落【0021】〜【0029】のとおりである、
　固体撮像素子。
　
　［３］対比・判断
　本願発明と引用発明２とを対比する。
　
　ア　本願発明の分説
　対比の便宜上、本願発明を次の構成要件Ａ〜Ｄに分説しておく。
　　　　〈本願発明（分説）〉
　Ａ　光電変換部を具備した複数の画素を有し、
　Ｂ　前記画素は、前記光電変換部で生成された電荷を蓄積するフローティングディフュージョン部と前記フローティングディフュージョン部に蓄積された電荷をリセットするリセットトランジスタとを含み、
　Ｃ　前記リセットトランジスタは、オン状態において、前記フローティングディフュージョン部を電源電圧にリセットできるレベルまで、閾値の低いデプレッショントランジスタよりなることを特徴とする
　Ｄ　固体撮像装置。
　
　上記構成要件Ｂは、さらに、以下の構成要件Ｂ１とＢ２に分説できる。
　
Ｂ１　前記画素は、前記光電変換部で生成された電荷を蓄積するフローティングディフュージョン部（を含み、）
Ｂ２（前記画素は、）前記フローティングディフュージョン部に蓄積された電荷をリセットするリセットトランジスタとを含み、
　
　イ　構成要件Ａ「光電変換部を具備した複数の画素を有し」、
　　　構成要件Ｄ「固体撮像素子」について
　引用発明２の「固体撮像素子」も、「光電変換素子であるフォトダイオード（ＰＤ）１２」を有する「単位画素１１が行列状に配置されてなる画素部２１」を備えており、上記構成要件Ａ、Ｄとする点において本願発明と一致する。
　
　ウ　構成要件Ｂ「前記画素は、・・・リセットトランジスタとを含み、」について　
　ウ-１　Ｂ１「前記画素は、前記光電変換部で生成された電荷を蓄積するフローティングディフュージョン部」「を含み、」について
　前掲(K6)段落【0012】には、「読み出しトランジスタ１３は、ドレインが
蓄積部である浮遊拡散領域ＦＤ
　引用発明の当該「
蓄積部である浮遊拡散領域ＦＤ
　画素に含まれること、
　「光電変換素子であるフォトダイオード（ＰＤ）１２」で生成された電荷を蓄積するものであることは、明らかであり、本願発明でいう「前記光電変換部で生成された電荷を蓄積するフローティングディフュージョン部」に相当するものである。
　すなわち、本願発明と引用発明２は上記構成要件Ｂ１において一致する。
　
　ウ-２　Ｂ２「前記フローティングディフュージョン部に蓄積された電荷をリセットするリセットトランジスタとを含み、」
　引用発明２の「単位画素１１」は、
リセットトランジスタ
蓄積部をリセット
　「読み出しトランジスタ１３は、ドレインが
蓄積部である浮遊拡散領域ＦＤ
　「リセットトランジスタ１６は、ソースが
浮遊拡散領域ＦＤ
浮遊拡散領域ＦＤを電源ＶＤＤにリセットする
　「蓄積部である浮遊拡散領域ＦＤ」のリセットとは、浮遊拡散領域ＦＤに蓄積された電荷をリセットすることをいうことは明らかであるから、
　引用発明２の上記「
リセットトランジスタ
　すなわち、本願発明と引用発明２は上記構成要件Ｂ２においても一致する。
　
　ウ-３　以上によれば、引用発明２も、構成要件Ｂ「前記画素は、前記光電変換部で生成された電荷を蓄積するフローティングディフュージョン部と前記フローティングディフュージョン部に蓄積された電荷をリセットするリセットトランジスタとを含み、」とするものであり、
　本願発明と引用発明２は上記構成要件Ｂとする点において一致する。
　
　エ　構成要件Ｃ「前記リセットトランジスタは、オン状態において、前記フローティングディフュージョン部を電源電圧にリセットできるレベルまで、閾値の低いデプレッショントランジスタよりなることを特徴とする」について
　
　〈本願発明〉
　上記構成要件Ｃは、前記リセットトランジスタにつき、
　(i)特定の値の閾値をもつデプレッショントランジスタであること
　(ii)特定の値は、オン状態において、前記フローティングディフュージョン部を電源電圧にリセットできる
レベルまで低いこと
　を要件とするものである。
　上記要件(ii)「特定の値は、オン状態において・・・できる
レベルまで低いこと
　(ii-a)特定の値が、「オン状態において・・・できる値」であることと、
　(ii-b)特定の値は、「オン状態において・・・できる」
ようになる値（レベル）を上限とする低い範囲に入っていること
　を要求するものと理解される。
　
　〈引用発明２〉
　「水平駆動手段からリセットトランジスタに対してリセットパルスを与えることによって
蓄積部をリセット
　「このリセットトランジスタ１６は、
浮遊拡散領域ＦＤを電源ＶＤＤにリセットするためにデプレッション型
　「すると、ｍ列目の画素のリセットトランジスタ１６がオン状態となる。これにより、浮遊拡散領域ＦＤがリセットトランジスタ１６を通して電源ＶＤＤにリセットされる。」（段落【0023】）、によれば、
　
　引用発明２の「リセットトランジスタ」は、
　・リセットパルスを与えることによって「オン」されるものであること、
　・『オン状態において、フローティングディフュージョン部が電源電圧にリセット』できるものであって、「オン状態において」「
浮遊拡散領域ＦＤ
電源ＶＤＤにリセット
　・『フローティングディフュージョン部を電源電圧にリセット』できるようにするために「デプレッション型」としたこと、
  以上は、明らかであるところ、
　
　「デプレッション型」とは、電界効果トランジスタ（ＦＥＴ）の［ソース−ゲート間電圧］−［ドレーン電流］特性について、
　［ソース−ゲート］間に電圧を印加しない場合、つまり、［ソース−ゲート間電圧］が０である場合においても［ドレーン電流］が流れる特性のタイプの電界効果トランジスタ（ＦＥＴ）をいうものであって、
　｛　［ソース−ゲート間電圧］が０である場合は［ドレーン電流］が流れず、［ドレーン電流］が流れ出す［ソース−ゲート間電圧］（＝閾値）が正値をもつ「エンハンスメント型」と対比して、エンハンスメント型トランジスタとは異なり、　｝
　［ドレーン電流］が流れ出す［ソース−ゲート間電圧］（＝閾値）が負値をもつ電界効果トランジスタ（ＦＥＴ）をいうものであるから、
　
　(1)引用発明２の「リセットトランジスタ」は、
閾値が負値
　また、その「リセットトランジスタ」は、たまたま、デプレッション型トランジスタであったのではなく、引用発明２は、『フローティングディフュージョン部を電源電圧にリセット』できるようにするために（そのようにすることができない、
閾値が正値
閾値が負値
　(2)引用発明２の「リセットトランジスタ」は、『オン状態においてフローティングディフュージョン部が電源電圧にリセット』できるものであって、実際に、「オン状態において」「
浮遊拡散領域ＦＤ
電源ＶＤＤにリセット
　
　〈対比・判断〉
　以上を踏まえて、本願発明の構成要件Ｃと引用発明２とを対比すると、
　上記(1)で、意図的に用いた「
閾値が負値
特定の（負）値
特定の値
　刊行物２には、引用発明２の「リセットトランジスタ」の閾値の具体的な値は記載されていないが、少なくとも、その閾値は、“
特定の負値
浮遊拡散領域ＦＤ
電源ＶＤＤにリセット
　その“
特定の負値
　また、その“
特定の負値
　その“
特定の負値
ようになる値（レベル）を上限とする低い範囲に入っている
　
　以上によれば、引用発明２の「リセットトランジスタ」は、『オン状態において、前記フローティングディフュージョン部を電源電圧にリセットできるレベルまで、閾値の低いデプレッショントランジスタよりなる』ものといえるから、引用発明２は、上記構成要件Ｃとする点においても本願発明と相違するものではない。
　すなわち、本願発明と引用発明２は上記構成要件Ｃとする点において一致する。
　
　オ　まとめ
　以上、引用発明２は、本願発明の上記構成要件Ａ〜Ｄの全部について一致する。
　したがって、本願発明は、刊行物２に記載された発明ということができる。
　
 【第５】むすび 
 　以上、本願の請求項１に係る発明は、刊行物２に記載された発明であるから、特許法第２９条第１項第３号の規定により特許を受けることができない。 
　したがって、本願は拒絶をすべきものである。 
　
 　よって、結論のとおり審決する。